(57)【特許請求の範囲】
【請求項１】
露光用の開口部を有するシャッタ地板と、
前記開口部に対して進退可能な先羽根及び後羽根と、
前記先羽根及び前記後羽根と各々連結されていて露光作動方向に駆動ばねにより付勢された先羽根用駆動部材及び後羽根用駆動部材と、
前記シャッタ地板上で往復作動が可能であり前記各駆動部材に対する押圧を解除した初期位置からカメラ側の操作部材により動かされ該各駆動部材を前記駆動ばねの付勢力に抗して押動し露光作動開始位置となるセット位置まで作動させられ該各駆動部材の露光作動開始前には前記操作部材に連動して前記初期位置に復帰するセット部材と、
露光作動開始直前においては前記各駆動部材を露光作動開始位置に保持し露光作動開始時には所定のタイミングでその保持を解く先羽根用保持手段及び後羽根用保持手段とを備えたデジタルカメラ用フォーカルプレンシャッタにおいて、
前記セット部材が前記初期位置から前記セット位置へ作動するときその初期段階では少なくとも前記後羽根用駆動部材を前記後羽根が前記開口部から退避して該開口部を全開にした途中位置で一旦停止させるようにしたことを特徴とするデジタルカメラ用フォーカルプレンシャッタ。
【請求項２】
前記セット部材が前記初期位置から途中位置に達するまでの間に、前記開口部を通過する撮影光路上に配置されている撮像素子の受光面を覆わない位置まで前記先羽根のスリット形成縁を前記開口部内に進入させるようにしたことを特徴とする請求項１に記載のデジタルカメラ用フォーカルプレンシャッタ。
【請求項３】
前記先羽根用保持手段と後羽根用保持手段とが、いずれも、前記各駆動部材に設けられた鉄片部材を吸着する電磁石であることを特徴とする請求項１又は２に記載のデジタルカメラ用フォーカルプレンシャッタ。
【発明の詳細な説明】
【０００１】
【発明の属する技術分野】
本発明は、撮影に際して、先羽根と後羽根とからなる二組の羽根を同一方向へ順次作動させ、両者によって形成されたスリットにより、撮像素子の受光面を露光させるようにしたデジタルカメラ用フォーカルプレンシャッタに関する。
【０００２】
【従来の技術】
一般にフィルムを用いる所謂銀塩カメラに採用されているフォーカルプレンシャッタは、先羽根と後羽根の露光作動に先立って、予め先羽根用電磁石と後羽根用電磁石に通電しておき、その後、露光時間制御回路の出力信号によって、所定のタイミングで順次、各電磁石への通電を断ち、先羽根用駆動ばねと後羽根用駆動ばねの付勢力によって先羽根用駆動部材と後羽根用駆動部材を回転させることにより、先羽根と後羽根に露光作動を行わせるようになっている。
【０００３】
そして、次の撮影まで先羽根用駆動部材と後羽根用駆動部材をセット位置に保持しておくための構成には二つの方式が知られており、通常、それらはダイレクトタイプと係止タイプと称されている。ダイレクトタイプのものは、セット位置で先羽根用駆動部材と後羽根用駆動部材を、各々、先羽根用電磁石と後羽根用電磁石に接触させておき、次の撮影に際してカメラのレリーズボタンが押されると、各電磁石に通電され、各駆動部材が磁力によって確実に吸着保持された段階で、セット部材がセット作動前の初期位置に復帰されるようになっている。
【０００４】
また、係止タイプのものは、先羽根用駆動部材と後羽根用駆動部材を各々の係止部材によってセット位置に係止しておき、次の撮影に際してレリーズボタンが押されると、各電磁石によって、その係止を解くようにしたものである。従って、係止タイプの場合、セット部材は、各駆動部材のセット完了後、直ちに初期位置に復帰させてもよいし、上記のダイレクトタイプの場合と同様に、レリーズに連動して、撮影に先だって復帰させるようにしても差し支えない。
【０００５】
ところで、撮影用レンズによって形成された撮影光を電気的データに変換するＣＣＤ等からなる撮像素子により、被写体像の撮影を行なう所謂デジタルカメラには、上記したタイプと同様のフォーカルプレンシャッタが採用されており、先羽根と後羽根とを備えていて、それらを所定のタイミングで順に作動させ、それらによって形成されるスリットによって、撮像素子の受光面の一方から他方に向けて、連続的に露光していくようにしたものが知られている。
【０００６】
また、そのような構成のシャッタを用いるデジタルカメラの中には、銀塩カメラの場合と同様に、光学ファインダを備えていて、撮影が行なわれるとき以外は、受光面が先羽根と後羽根の少なくとも一方によって覆われているようにしたものと、撮影が行なわれるとき以外にも、撮像素子を撮影光にさらしておき、撮像素子から出力された画像データを視認可能にする液晶表示装置等から構成される電子ビューファインダなどと称されているものによって、被写体像を表示できるようにしたものとがある。従って、後者のものは、撮影に際しては、先羽根を受光面を覆う位置に作動させておいてから、露光作動が行われることになる。
【０００７】
そして、そのような一例が、特開昭６２−１２８６７５号公報に開示されている。この従来例は、上記のダイレクトタイプのシャッタとして構成されており、カメラの電源を投入するとモータレバー７（操作部材）の右旋にともないセットレバー９（セット部材）が初期位置から左旋される。そのため、開放羽根駆動レバー１（先羽根用駆動部材）及び閉鎖羽根駆動レバー４（後羽根用駆動部材）は、各々、バネ３（先羽根用駆動ばね）及びバネ６（後羽根用駆動ばね）の付勢力に抗して右旋されてセット完了状態となるが、この時、閉鎖羽根駆動レバー４のみを閉鎖羽根側の電磁石（後羽根用電磁石）に吸着させる。その後、セットレバー９の初期位置への復帰にともない、開放羽根駆動レバー１は開放位置へ作動されるが、閉鎖羽根駆動レバー４は既に電磁石に吸着されているので、アパーチャ（開口部）は開放羽根と閉鎖羽根とによって開放され、電子ビューファインダによる被写体像の表示が可能となる。
【０００８】
そしてレリーズ操作が行われると、閉鎖羽根側の電磁石が消磁するので閉鎖羽根駆動レバー４は、バネ６の張力により左旋して閉鎖羽根をアパーチャを閉鎖する位置へ作動される。その後、セットレバー９の左旋によって開放羽根側の電磁石（先羽根用電磁石）と閉鎖羽根側の電磁石が共に励磁された状態で、開放羽根レバー１と閉鎖羽根レバー４はセット完了位置に作動され、各々の電磁石に吸着保持される。そして、そのようにして吸着保持された後、セットレバー９がバネ１１の付勢力によって初期位置へ復帰すると、開放羽根側の電磁石と閉鎖羽根側の電磁石が順次消磁されることで各々の羽根が露光作動を開始するようになっている。
【０００９】
【発明が解決しようとする課題】
しかしながら、このような制御方法では、カメラの不使用時には撮像素子を直射日光から保護するためにシャッタ羽根を閉鎖状態にしていて、電源の投入によって開口部を開放する点では望ましいが、一方で電源の投入時からは電子ビューファインダに被写体像を表示させるために閉鎖羽根駆動レバー４を開放位置で保持しなければならず、そのために閉鎖羽根用電磁石に電流を供給し続けなければならないので電源の消耗が著しく、極めて問題であった。
【００１０】
また、開放位置を閉鎖羽根用電磁石の吸着力によって保持するようにしていると、カメラに振動や衝撃が加わった場合、それらがシャッタに伝達することによって閉鎖羽根駆動レバー４が開放位置で保持されずに離反し、アパーチャを閉鎖してしまうといった誤動作が発生することもあった。そのために、電磁石に印加する電流を増加させて吸着力を大きくするといった対策がとられていたが、この場合にも電源消耗の上で問題となっていた。特に、デジタルカメラの場合、銀塩カメラと比較してカメラサイズが小型化されているので電源の容積が制限されるとともに撮像素子の光電変換、電子ビューファインダの表示、画像記録等にも電力を消費するので、電源の消耗を極力抑制したいという強い要求がある。さらに、コストを抑制するために従来の銀塩カメラのフォーカルプレンシャッタをデジタルカメラに流用する場合があるが、そのような場合であってもシャッタ構成の変更やそれに伴う各部品の変更を極力抑制して低コスト化することは、上記の電源消耗の抑制と共に大きな要求課題となっている。
【００１１】
本発明は、このような問題点を解決するためになされたものであり、その目的とするところは、先羽根と後羽根によって形成されたスリットにより撮像素子の受光面の露光を行ない、且つ電子ビューファインダを備えたカメラに適用して好適な、低消費電力化と低コスト化に適したデジタルカメラ用フォーカルプレンシャッタを提供することである。
【００１２】
【課題を解決するための手段】
上記の目的を達成するために、本発明のデジタルカメラ用フォーカルプレンシャッタは、露光用の開口部を有するシャッタ地板と、前記開口部に対して進退可能な先羽根及び後羽根と、前記先羽根及び前記後羽根と各々連結されていて露光作動方向に駆動ばねにより付勢された先羽根用駆動部材及び後羽根用駆動部材と、前記シャッタ地板上で往復作動が可能であり前記各駆動部材に対する押圧を解除した初期位置からカメラ側の操作部材により動かされ該各駆動部材を前記駆動ばねの付勢力に抗して押動し露光作動開始位置となるセット位置まで作動させられ該各駆動部材の露光作動開始前には前記操作部材に連動して前記初期位置に復帰するセット部材と、露光作動開始直前においては前記各駆動部材を露光作動開始位置に保持し露光作動開始時には所定のタイミングでその保持を解く先羽根用保持手段及び後羽根用保持手段とを備えたデジタルカメラ用フォーカルプレンシャッタにおいて、前記セット部材が前記初期位置から前記セット位置へ作動するときその初期段階では少なくとも前記後羽根用駆動部材を前記後羽根が前記開口部から退避して該開口部を全開にした途中位置で一旦停止させるようにする。
【００１３】
また、本発明のデジタルカメラ用フォーカルプレンシャッタにおいては、前記セット部材が前記初期位置から途中位置に達するまでの間に、前記開口部を通過する撮影光路上に配置されている撮像素子の受光面を覆わない位置まで前記先羽根のスリット形成縁を前記開口部内に進入させるようにすると、レリーズからセット位置までの先羽根の作動量が少なくなるのでセット作動に要する時間を短縮することが可能となる。また、前記先羽根用保持手段と後羽根用保持手段とが、いずれも、前記各駆動部材に設けられた鉄片部材を吸着する電磁石であるようにすると、シャッタの構成が簡単になる。
【００１４】
【発明の実施の形態】
本発明をダイレクトタイプのシャッタに適用した場合の実施の形態を、図示した実施例によって説明する。尚、図１はカメラに組み込まれた状態において、シャッタを被写体側、即ち撮影レンズ側から見た平面図であって、カメラの主電源がオフ状態または露光作動終了直後の状態を示したものである。図２は図１と同様にして見た場合の約左半分を示した平面図であって、図１の状態から後羽根群がセットされて開口部が開放された途中位置の状態を示したものである。図３は図２と同様に示した平面図であって、図２の状態から先羽根群もセットされた両羽根群のセット状態を示したものである。図４は図２と同様に示した平面図であって、図３の状態からセット部材が初期位置へ復帰した状態、即ち露光作動開始直前の状態を示したものである。
【００１５】
本実施例は、ダイレクトタイプのフォーカルプレンシャッタとして構成し、且つ、先羽根と後羽根とは、銀塩カメラ用のフォーカルプレンシャッタに多く見られるように、各々、複数枚の羽根を用いたものとして構成している。そのため、これらの羽根については、以下、先羽根群及び後羽根群と称する。そこで、先ず、本実施例の構成を、図１を用いて説明するが、その説明に際しては、被写体側を表面側と称し、その反対側を背面側と称する。
【００１６】
図１において、シャッタ地板１は、その略中央に長方形をした露光用の開口部１ａを形成している。また、図示していないが、周知のようにシャッタ地板１の背面側には、所定の間隔を空けて、中間板と補助地板が順に取り付けられ、シャッタ地板１と中間板との間に先羽根群の羽根室を形成し、中間板と補助地板との間に後羽根群の羽根室を形成している。そして、中間板と補助地板にも開口部１ａと類似の開口部が形成されていて、通常は、これら三つの開口部を重ね合わせて、露光開口を形成するようにしているが、本実施例においては、開口部１ａの形状が露光開口を規制している。
【００１７】
シャッタ地板１は、ねじ２，２，２によってカメラ本体に取付けられており、また、上記した補助地板の背面側には、撮像装置３がカメラ本体に適宜な方法で取り付けられている。この撮像装置３には、シャッタ地板１を挟んで被写体側に設けられている図示していない撮影レンズからの撮影光が、開口部１ａを通過する光路上に、ＣＣＤ等からなる撮像素子４が搭載されていて、さらにこの撮像素子４の撮影レンズ側の全面は受光面となっている。また、現状では一般的に、撮像素子４の受光面は３５ｍｍ銀塩カメラのフィルム面に比較して小さいため、撮像素子４の受光面は開口部１ａよりも小さくなっている。
【００１８】
開口部１ａの左側には、円弧状の三つの長孔１ｂ，１ｃ，１ｄが形成されている。そして、長孔１ｂ，１ｃの下端部には、平面形状がＣ字状をしたゴム製の緩衝部材５，６を取り付けている。また、シャッタ地板１の表面側には、軸１ｅ，１ｆ，１ｇが立設されており、背面側には、軸１ｈ，１ｉ，１ｊ，１ｋが立設されているが、これらのうち、軸１ｅ，１ｈと軸１ｆ，１ｉは、各々、同軸上に配置されている。そして、軸１ｅ，１ｆ，１ｇの先端には、外形を二点鎖線で示した支持板７がシャッタ地板１と平行になるようにして適宜な方法で取り付けられていて、さらに支持板７の表面側には図示していない周知のプリント配線板が取り付けられている。また、支持板７のシャッタ地板１側には、先羽根用電磁石と後羽根用電磁石が取り付けられていて、これらのコイルは上記のプリント配線板に電気的に接続されているが、図１から図４においては、各電磁石の鉄芯８，９のみを二点鎖線で示してある。
【００１９】
シャッタ地板１の軸１ｅには、合成樹脂製の先羽根用駆動部材１０が回転可能に取り付けられていて、図示していない周知の先羽根用駆動ばねによって時計方向へ回転するように付勢されている。この先羽根用駆動部材１０は、背面側に被押動部１０ａ，駆動ピン１０ｂ，表面側に取付部１０ｃを有している。また、駆動ピン１０ｂの断面形状は円形をしており、その根元部が上記の緩衝部材５に当接し得るようになっていて、先端側は長孔１ｂを貫通し、シャッタ地板１の背面側に突き出ている。また、取付部１０ｃには、周知のように、図示していないばねを介在させて鉄片部材１１が取り付けられており、上記した先羽根用電磁石の鉄芯８に吸着保持され得るようになっている。
【００２０】
シャッタ地板１の軸１ｆには、合成樹脂製の後羽根用駆動部材１２が回転可能に取り付けられていて、上記した先羽根用駆動部材１０と同様に、図示していない周知の後羽根用駆動ばねによって時計方向へ回転するように付勢されている。この後羽根用駆動部材１２は、側面に被押動部１２ａ，背面側に駆動ピン１２ｂ，表面側に取付部１２ｃを有してる。そして、駆動ピン１２ｂは、上記した駆動ピン１０ｂと同じ形状をしていて、根元部が上記の緩衝部材６に当接し得るようになっており、先端側は長孔１ｃを貫通し、シャッタ地板１の背面側に突き出ている。また、取付部１２ｃには、周知のように、図示していないばねを介在させて鉄片部材１３が取り付けられており、上記した後羽根用電磁石の鉄芯９に吸着保持され得るようになっている。
【００２１】
シャッタ地板１の軸１ｇには、合成樹脂製のセット部材１４が回転可能に取り付けられ、図示していないばねによって、反時計方向へ回転するように付勢されている。そして、このセット部材１４の側面には、先羽根用駆動部材１０の被押動部１０ａを押す押動部１４ａと、後羽根用駆動部材１２の被押動部１２ａを押す押動部１４ｂと、カメラ側の操作部材１５によって押動される被押動部１４ｃとが形成されている。尚、ここでカメラ側とは、シャッタ地板１上の部材でないという意味であり、操作部材１５は、例えば図外のモータ等によって図１上では左右方向、図２〜４上では上下方向に駆動され、セット部材１４の途中位置とセット位置では図外の係止機構によって係止されて停止しており、これらの停止位置から係止解除されることにより上方に退避する様に構成されている。また、セット部材１４の背面側には、シャッタ地板１の長孔１ｄに挿入されたピン１４ｄが形成されていて、図１は、セット部材１４が図示していないばねによって反時計方向へ回転され、ピン１４ｄが長孔１ｄの下端に当接して停止した状態を示している。そして、セット部材１４についてはこの位置を初期位置とする。
【００２２】
次に、シャッタ地板１の背面側に取り付けられている、先羽根群と後羽根群の構成を説明する。先ず、先羽根群１６は、シャッタ地板１と上記の中間板の間に配置されていて、シャッタ地板１の軸１ｈ，１ｊに回転可能に取り付けられた二つのアーム１７，１８と、それらの長さ方向に順に枢支された４枚の羽根１６ａ，１６ｂ，１６ｃ，１６ｄとで構成されている。そして、最先端に枢支された羽根１６ｄがスリット形成羽根であり、この羽根１６ｄの上端縁がスリット形成縁となっている。また、この先羽根群の一方のアーム１７には、長孔が形成されており、そこに、上記した先羽根用駆動部材１０の駆動ピン１０ｂが嵌合されている。
【００２３】
他方、後羽根群１９は、構成が先羽根群１６と同じであるが、先羽根群１６を裏返した状態で上記した中間板と補助地板の間に配置されている。この後羽根群１９は、シャッタ地板の軸１ｉ，１ｋに回転可能に取り付けられた二つのアーム２０，２１と、それらの長さ方向に順に枢支された４枚の羽根１９ａ，１９ｂ，１９ｃ，１９ｄとで構成されている。そして、最先端に枢支された羽根１９ｄがスリット形成羽根であり、この羽根１９ｄの下端縁がスリット形成縁となっている。また、アーム２０に形成された長孔には、後羽根用駆動部材１２の駆動ピン１２ｂが嵌合している。
【００２４】
次に、図１から図４を用いて本実施例の作動を説明する。図１は、カメラを使用していない主電源オフの状態と、露光作動終了直後の状態との両方に共通するものであるが、最初の段階においては、カメラ側の主電源がオフ状態にあるものとして説明する。また、本実施例のフォーカルプレンシャッタは、被写体像を表示するための電子ビューファインダを採用したデジタルカメラに用いられるので、主電源がオン状態の時は、撮影をするとき以外でも、開口部１ａを開放状態にしておく必要がある。しかし、このような開放状態で主電源をオフにすると、開口部１ａを開放状態のままで作動が停止してしまう場合があるが、本実施例においては、主電源がオフの状態では、操作部材１５が退くことでセット部材１４が図示しないばねによって初期位置に復帰して各駆動部材への押圧を解除する。そのために、開口部１ａは後羽根群１９の４枚の羽根１９ａ〜１９ｄで覆われることになり、撮影レンズを通して入射する直射日光によって撮像素子４の性能劣化を抑止できるようになっている。
【００２５】
このような図１の状態においては、先羽根群１６の複数枚の羽根は重畳状態となって、開口部１ａの下方位置に格納されており開口部１ａを全開にしており、後羽根群１９の複数枚の羽根は、展開状態となって開口部１ａを閉鎖している。そして、この状態からカメラ側の主電源をオンにするとセット作動を開始し、操作部材１５が、セット部材１４の被押動部１４ｃを押し、セット部材１４を図示していないばねの付勢力に抗して時計方向へ回転させる。それによって、セット部材１４の押動部１４ｂが後羽根用駆動部材１２の被押動部１２ａを押し、後羽根用駆動部材１２を図示していない後羽根用駆動ばねの付勢力に抗して、反時計方向へ回転させる。そのため、アーム２０が駆動ピン１２ｂによって反時計方向は回転され、後羽根群１９の複数枚の羽根は、相互の重なり量を大きくしながら上方へ重畳され開口部１ａを開いていく。
【００２６】
また、このようにして、セット部材１４の押動部１４ｂが後羽根用駆動部材１２の被押動部１２ａを押し始めてから遅れて、セット部材１４の押動部１４ａが先羽根用駆動部材１０の被押動部１０ａを押し始める。そのため、先羽根用駆動部材１０の被押動部１０ａは、図示していない先羽根用駆動ばねの付勢力に抗して反時計方向へ回転され、先羽根群１６の複数枚の羽根は相互の重なり量を小さくしながら上方へ展開されていくが、開口部１ａを完全に閉鎖する前にその作動は一旦停止されるので、開口部１ａは両羽根群によって開放されることになる。
【００２７】
そして、このようなセット作動の初期段階で、開口部１ａを開放した状態が図２に示されている。この状態になると操作部材１５は一旦停止し、それに伴ってセット部材１４の回転が停止される。この図２におけるセット部材１４の停止位置は、セット作動の途中位置であって、セット部材１４の押動部１４ｂは、後羽根用駆動部材１２の被押動部１２ａを押して後羽根群１９を開口部１ａから退避させている。しかし、セット部材１４の押動部１４ａは、先羽根用駆動部材１０の被押動部１０ａを若干押して、先羽根群１６の羽根６ｄのスリット形成縁を開口部１ａ内に臨ませているものの、撮像素子４の受光面は覆わない位置で停止している。そのため、開口部１ａは全開にはなっていないが開放状態であり、このような図２の状態において、電子ビューファインダによる被写体の表示が可能となっている。
【００２８】
また、後羽根用駆動部材１２は、図２の状態になる直前に、鉄片部材１３を後羽根用電磁石の鉄芯９に接触させていて、その状態においては、被押動部１２ａをセット部材１４の押動部１４ｂの周面に接触させている。また、上記したように図示していないばねを介在させた鉄片部材１３の取付け構成によって、鉄芯９に対する鉄片部材１３の接触関係が良好に保たれる。従って、本実施例の場合には、セット部材１４が途中位置で停止することによって開口部１ａの開放状態が維持されるので、上記した特開昭６２−１２８６７５号公報に開示されているように後羽根用電磁石に通電する必要がなく、消費電力を抑えることが可能となっている。また、この状態で振動や衝撃が加わったとしても後羽根用駆動部材１２を確実に保持できるので、誤動作を防止する上でも電源の消耗を抑制できる。
【００２９】
次に、撮影を行なう場合には、この図２の状態において、カメラのレリーズボタンを押すと、操作部材１５がセット部材１４の被押動部１４ｃをさらに押し、図示していないばねの付勢力に抗してセット部材１４を図２の状態からさらに時計方向へ回転させる。その結果、セット部材１４の押動部１４ａが先羽根用駆動部材１０の被押動部１０ａを押動するので、先羽根用駆動部材１０は図示しない先羽根用駆動ばねの付勢力に抗してさらに反時計方向へ回転させられ、駆動ピン１０ｂはアーム１７を反時計方向へ回転させる。そのため、先羽根群１６の羽根１６ａ〜１６ｄは、展開されつつ上方へ作動されて羽根１６ｄのスリット形勢縁によって開口部１ａを閉鎖していく。
【００３０】
この間、セット部材１４の押動部１４ｂは、その周面が後羽根用駆動部材１２の被押動部１２ａの周面に慴接するだけであって、後羽根用駆動部材１２を回転させないため、後羽根群１９の羽根１９ａ〜１９ｄは開口部１ａの上方位置に格納されたままとなっている。その後、開口部１ａが先羽根群１６によって完全に閉鎖されると、操作部材１５によるセット部材１４の被押動部１４ｃの押動が停止し、同時にセット部材１４の回転も停止される。そして、セット部材１４にとっては、この停止位置がセット位置であり、このときの状態が図３に示されている。
【００３１】
この時、上記した途中位置では、羽根１６ｄのスリット形成縁を開口部１ａ内に予め臨ませているので、先羽根群１６が開口部１ａを完全に閉鎖するまでの作動時間が短くなり、先羽根群１６のセット作動が迅速に行われることになる。また、先羽根用駆動部材１０は、図３の状態になる直前に、鉄片部材１１を先羽根用電磁石の鉄芯８に接触させていて、その状態においては、被押動部１０ａをセット部材１４の押動部１４ａの周面に接触させている。従って、上記したように図示していないばねを介在させた鉄片部材１１の取付け構成によって、鉄芯８に対する鉄片部材１１の接触関係が良好に保たれている。
【００３２】
他方、上記のようにしてレリーズスイッチが押された後、測光や測距の完了信号によって先羽根用電磁石と後羽根用電磁石に通電され、鉄芯８，９が接触状態となっていた鉄片部材１１，１３を吸着保持し、同時に、露光時間制御回路の作動も開始する。さらに、操作部材１５が上方へ退避することでセット部材１４は、図３のセット位置から図示していないばねの付勢力によって反時計方向へ回転し、途中で停止することなく初期位置へ復帰する。そして、このような露光作動開始直前の状態が図４に示されている。このようにしてセット部材１４が初期位置へ復帰する過程において、最初に押動部１４ａが先羽根用駆動部材１０の被押動部１０ａから退き、次に押動部１４ｂが後羽根用駆動部材１２の被押動部１２ａから退いていくが、既に各々の鉄片部材１１，１３は鉄芯８，９に吸着保持されているので、各駆動部材１０，１２は図４の状態を維持される。そして、この状態が各駆動部材１０，１２及び各羽根群にとっての露光作動開始位置である。
【００３３】
セット部材１４が、このようにして初期位置へ復帰した後、上記の露光時間制御回路によって、露光作動が開始されるが、先ず、先羽根用電磁石に対する通電を断つとともに露光時間のカウントを開始し先羽根群１６に露光作動を行わせる。そのため、鉄芯８による鉄片部材１１の吸着力が失われ、先羽根用駆動部材１０が図示していない先羽根用駆動ばねの付勢力によって時計方向へ回転される。それによって、先羽根用駆動部材１０の駆動ピン１０ｂが、アーム１７を図４の状態から時計方向へ回転させるので、先羽根群１６の羽根１６ａ〜１６ｄは開口部１ａを閉鎖していた状態から下方へ作動され、隣接する羽根との相互の重なり量を大きくしつつ、スリット形勢羽根１６ｄの上側の縁であるスリット形成縁によって、開口部１ａを開放していく。そして、羽根１６ａ〜１６ｄが重畳状態となって開口部１ａを全開にした後、駆動ピン１０ｂが緩衝部材５に当接して停止することで、先羽根用駆動部材１０と先羽根群１６の露光作動が終了する。
【００３４】
そのようにして、先羽根用電磁石に対する通電が断たれてから所定時間経過後、露光時間制御回路からの信号によって、今度は後羽根用電磁石に対する通電を断つことで後羽根群１９に露光作動を行わせる。そのため、鉄芯９による鉄片部材１３の吸着力が失われ、後羽根用駆動部材１２が図示していない後羽根用駆動ばねの付勢力によって時計方向へ回転される。それによって、後羽根用駆動部材１２の駆動ピン１２ｂが、アーム２０を時計方向へ回転させるので、後羽根群１９の羽根１９ａ〜１９ｄは開口部１ａを開放していた状態から下方へ作動され、隣接する羽根との相互の重なり量を小さくしつつ、スリット形成羽根１９ｄの下側の縁であるスリット形成縁によって、開口部１ａを閉じていく。そして、後羽根群１９が展開状態となって開口部１ａを完全に閉鎖すると、駆動ピン１２ｂが緩衝部材６に当接して停止することで後羽根用駆動部材１２と後羽根群１９の露光作動が終了する。このようにして各スリット形成羽根１６ｄ，１９ｄによって形成されたスリットにより、撮像素子４の受光面が連続的に露光されていくことになり、その露光作動が終了した直後の状態が図１に示されている。
【００３５】
このような露光作動が終了して、被写体の画像情報が記録装置に転送されると、その転送終了信号によって操作部材１５が再び下方へ移動する。即ち、カメラ側の主電源をオン状態にした時と同じ作動が行われるわけである。その結果、セット部材１４は、図２に示した位置で停止され、再び電子ビューファインダによる被写体像の表示が可能となる。従って、次の撮影が行われた場合には、これまで説明したようにして露光作動が行われる。
【００３６】
しかし、もはや撮影はしないし、電子ビューファインダも使用しないというときには、電力消費を避けるために、主電源をオフにすることになる。そのため、操作部材１５が上方に退避することにともない、セット部材１４が図２の状態から反時計方向へ回転させられ、図１の初期状態へ復帰させられる。そのため、後羽根用駆動部材１２は、その被押動部１２ａがセット部材１４の押動部１４ｂによる押動が解かれるのにともない、図示していない後羽根用駆動ばねの付勢力によって時計方向へ回転される。従って、後羽根群１９の羽根１９ａ〜１９ｄも駆動ピン１２ｂによって作動され、開口部１ａを閉鎖して図１の状態に復帰する。また、先羽根群１６についても同様に、先羽根用駆動部材１０の被押動部１０ａは、セット部材１４の押動部１４ａによる押動が解かれるにともない時計方向へ回転されるので、先羽根群１６の羽根１６ａ〜１６ｄは開口部１ａを全開して図１の状態に復帰する。
【００３７】
尚、上記の実施例は、ダイレクトタイプのシャッタとして構成したものであるが、本発明は、そのようなダイレクトタイプのものに限定されず、上記したような係止タイプのものにも適用が可能である。また、上記の実施例においては、先羽根と後羽根が各々４枚の羽根を備えているが、本発明は、羽根の枚数に制限がなく、各々１枚であっても差し支えない。
【００３８】
また、上記の実施例においては、セット部材が途中位置に達するまでの間に、先羽根群のスリット形成縁が撮像素子の受光面を覆わない位置まで開口部に進入するようにしたが、撮像素子の大型化や開口部に対する撮像素子の配置関係に応じて、セット部材の各押動部と各駆動部材の被押動部の形状を適宜変更することによってそれらの相対関係を変更し、セット作動の初期段階では、後羽根用駆動部材のみを作動させるようにしても差し支えない。さらに、上記の実施例においては、セット作動時、最初に後羽根用駆動部材を作動させ、それから遅れて先羽根用駆動部材を作動させるようにしたが、上記と同様に、相対関係を変更することで各駆動部材を同時に作動させるようにすることも可能である。
【００３９】
【発明の効果】
以上のように、本発明は、電子ビューファインダを備えたデジタルカメラ用のフォーカルプレンシャッタであるにもかかわらず、被写体像の表示状態において後羽根用電磁石への通電を不要としたことで電源の消耗を抑制できる点で優れており、また、その状態をセット部材によって機械的に保持できるのでシャッタに加わる振動や衝撃による誤動作を防止する上でも電源の消耗を抑制できる。さらに、従来の銀塩カメラに適用されていたフォーカルプレンシャッタを、そのセット部材を交換するだけでデジタルカメラにも適用させることが可能なので、シャッタの構成を大きく変えたり複雑にしたりする必要もなく製作上および低コスト化において極めて有利である。
【図面の簡単な説明】
【図１】被写体側、即ち撮影レンズ側から見た実施例の平面図であって、カメラの主電源オフ状態または露光作動終了直後の状態を示したものである。
【図２】図２と同様にして見た場合の左側の一部を示した実施例の平面図であって、図１の状態から後羽根群がセットされ、電子ビューファインダでの観察を可能にした途中位置の状態を示したものである。
【図３】図２と同様に示した実施例の平面図であって、図２の状態からカメラのレリーズが行われた後、先羽根群もセットされた両羽根群のセット状態を示したものである。
【図４】図２と同様に示した実施例の平面図であって、図３の状態からセット部材が初期位置へ復帰した状態、即ち露光作動開始直前の状態を示したものである。
【符号の説明】
１                        シャッタ地板
１ａ                      開口部
１ｂ，１ｃ，１ｄ          長孔
１ｅ，１ｆ，１ｇ，１ｈ，１ｉ，１ｊ，１ｋ    軸
２，２，２                ねじ
３                        撮像装置
４                        撮像素子
５，６                    緩衝部材
７                        支持板
８，９                    鉄芯
１０                      先羽根用駆動部材
１０ａ，１２ａ，１４ｃ    被押動部
１０ｂ，１２ｂ            駆動ピン
１０ｃ，１２ｃ            取付部
１１，１３                鉄片部材
１２                      後羽根用駆動部材
１４ａ，１４ｂ            押動部
１５                      操作部材
１６                      先羽根群
１７，１８，２０，２１    アーム
１６ａ，１６ｂ，１６ｃ，１６ｄ，１９ａ，１９ｂ，１９ｃ，１９ｄ
羽根
１９                      後羽根群
【図１】
0004667657.tif 000002
【図２】
0004667657.tif 000003
【図３】
0004667657.tif 000004
【図４】
0004667657.tif 000005